(57)【要約】【課題】大量のＳＩＰクライアント対応のデバイスがＩＭＳネットワークに接続される場合であっても、ＩＭＳネットワークのコア設備装置の処理負荷を低減することができる位置登録方法及びシステムを提供する。【解決手段】端末が、セッション制御サーバへ位置登録要求を送信する。これに対し、セッション制御サーバが、端末から位置登録要求を受信した際に、端末用にサブドメインを割り当て、該サブドメインを含む位置登録応答を端末へ返信する。次に、デバイスが、端末へ位置登録要求を送信する。これに対し、端末が、デバイスから位置登録要求を受信した際に、サブドメインの範囲内のＳＩＰアドレスをデバイスに割り当て、該アドレスを含む位置登録応答をデバイスへ返信する。【選択図】図２
2010171635.tif 000002
【特許請求の範囲】
【請求項１】
ＩＰサブシステムネットワークに接続されたセッション制御サーバと、該ＩＰサブシステムネットワークにアクセスネットワークを介して接続されたＳＩＰ(Session Initiation Protocol)クライアント対応の端末とを有するシステムについて、ＳＩＰクライアント対応のデバイスが、前記端末を介して前記ＩＰサブシステムネットワークに接続する位置登録方法であって、
前記端末が、前記セッション制御サーバへ位置登録要求を送信する第１のステップと、
前記セッション制御サーバが、前記端末から前記位置登録要求を受信した際に、前記端末用にサブドメインを割り当て、該サブドメインを含む位置登録応答を前記端末へ返信する第２のステップと、
前記デバイスが、前記端末へ位置登録要求を送信する第３のステップと、
前記端末が、前記デバイスから前記位置登録要求を受信した際に、前記サブドメインの範囲内のＳＩＰアドレスを前記デバイスに割り当て、該ＳＩＰアドレスを含む位置登録応答を前記デバイスへ返信する第４のステップと
を有することを特徴とする位置登録方法。
【請求項２】
第４のステップについて、前記端末は、前記デバイスに対して、前記サブドメインの範囲内で呼セッション制御機能（ＣＳＣＦ(Call Session Control Function)）として動作することを特徴とする請求項１に記載の位置登録方法。
【請求項３】
前記システムは、前記デバイスのデバイス識別子と、前記端末のユーザ識別子とを対応付けて記憶するデバイス管理アプリケーションサーバを更に有し、
第４のステップについて、
前記端末が、前記デバイスから前記位置登録要求を受信した際に、前記サブドメインの範囲内のＳＩＰアドレスを前記デバイスに割り当てる第１のサブステップと、
前記端末が、前記デバイス識別子及び前記ユーザ識別子を、前記デバイス管理アプリケーションサーバへ送信する第２のサブステップと、
前記デバイス管理アプリケーションサーバが、前記デバイス識別子及び前記ユーザ識別子が対応付けられているか否かを認証し、その認証結果を前記端末へ返信する第３のサブステップと、
前記端末が、前記認証結果が成功である場合、前記ＳＩＰアドレスを含む位置登録応答を前記デバイスへ返信する第４のサブステップと
を更に有することを特徴とする請求項１又は２に記載の位置登録方法。
【請求項４】
第１のサブステップについて、前記端末は、前記サブドメインの範囲内で、加入者情報サーバ（ＨＳＳ(Home Subscriber Server)）として動作することを特徴とする請求項３に記載の位置登録方法。
【請求項５】
第３のサブステップについて、前記デバイス管理サーバは、前記デバイスの認証が成功した際に、当該デバイス又はユーザ毎に課金することを特徴とする請求項３又は４に記載の位置登録方法。
【請求項６】
ＩＰサブシステムネットワークに接続されたセッション制御サーバと、該ＩＰサブシステムネットワークにアクセスネットワークを介して接続されたＳＩＰクライアント対応の端末と、該端末を介して前記ＩＰサブシステムネットワークに接続するＳＩＰクライアント対応のデバイスとを有するシステムであって、
前記セッション制御サーバは、
前記端末から位置登録要求を受信した際に、前記端末用にサブドメインを割り当てるサブドメイン割当手段と、
前記サブドメインを含む位置登録応答を前記端末へ返信する端末側位置登録手段と
を有し、
前記端末は、
前記デバイスから位置登録要求を受信するＳＩＰサーバ手段と、
前記サブドメインの範囲内のＳＩＰアドレスを前記デバイスに割り当てるデバイスセッション制御手段と、
サブドメインを要求するべく記述された端末用の位置登録要求を、前記セッション制御サーバへ送信するＳＩＰクライアント手段と
を有することを特徴とするシステム。
【請求項７】
前記端末の前記デバイスセッション制御手段は、前記デバイスに対して、前記サブドメインの範囲内で、呼セッション制御機能（ＣＳＣＦ）として動作することを特徴とする請求項６に記載のシステム。
【請求項８】
前記システムは、デバイス管理アプリケーションサーバを更に有し、
前記デバイス管理アプリケーションサーバは、
前記デバイスのデバイス識別子と、前記端末のユーザ識別子とを対応付けて記憶するデバイス認証記憶手段と、
前記端末から受信した前記デバイス識別子及び前記ユーザ識別子が対応付けられているか否かを認証し、その認証結果を前記端末へ返信する認証手段と
を有し、
前記端末は、前記デバイス識別子及び前記ユーザ識別子を、前記デバイス管理アプリケーションサーバへ送信すると共に、前記デバイス管理アプリケーションサーバから認証結果を受信するデバイス認証手段を更に有し、
前記端末の前記ＳＩＰサーバ手段は、前記認証結果が成功である場合、前記ＳＩＰアドレスを含む位置登録応答を前記デバイスへ返信する
ことを特徴とする請求項６又は７に記載のシステム。
【請求項９】
前記端末の前記デバイス認証手段は、前記サブドメインの範囲内で、加入者情報サーバ（ＨＳＳ）として動作することを特徴とする請求項８に記載のシステム。
【請求項１０】
前記デバイス管理サーバは、前記デバイスの認証が成功した際に、当該デバイス又はユーザ毎に課金するデバイス課金手段を更に有することを特徴とする請求項８又は９に記載のシステム。
【発明の詳細な説明】
【技術分野】
【０００１】
本発明は、ＳＩＰ(Session Initiation Protocol)クライアント対応のデバイスを、ＩＰ(Internet Protocol)サブシステムネットワークに接続させる位置登録方法及びシステムに関する。
【背景技術】
【０００２】
ＳＩＰは、ＩＰにおける呼制御プロトコルであって、端末間で通信に必要なＩＰアドレス、ポート番号及びエンコーディングをネゴシエーションすると共に、発呼及び着呼を制御する。ＳＩＰを用いて、必要なネットワークリソースの割り当て及びゲートの制御を実行するために、ＩＰサブシステムネットワークとしてのＩＭＳ(IP Multimedia Subsystem)がある。ＩＭＳは、ＩＰネットワークで、マルチメディアアプリケーション（音声、映像及びデータ）を提供するために標準化されたサービス制御方式である。これは、次世代携帯電話ネットワーク又はＮＧＮ(Next Generation Network)を実現する中核技術である。これにより、固定網及び移動網が統合され、全ての端末がＩＰベースで通信するオールＩＰ化が実現される。
【０００３】
図１は、ＩＭＳのシステム構成図である。
【０００４】
図１のシステムによれば、ＩＭＳネットワーク１と、アクセスネットワーク６と、ＩＰネットワーク７とが相互に接続されている。アクセスネットワーク６は、例えば携帯電話網や、無線／有線ブロードバンドアクセス網である。アクセスネットワーク６には、複数のＳＩＰクライアント対応の端末２及びデバイス３が接続されている。
【０００５】
端末２は、例えば携帯電話機のような比較的高機能なものであって、主に通話情報を送受信する。また、デバイス３は、小型モジュールの組み込み型デバイスのような比較的低機能且つ省電力のものであって、制御情報を含めた様々な情報を送受信する。ＳＩＰクライアント対応の複数の端末２及びデバイス３は、アクセスネットワーク６を介してＩＭＳネットワーク１に接続し、呼セッションを確立することができる。
【０００６】
ＩＭＳネットワーク１は、呼セッション制御機能（ＣＳＣＦ(Call Session Control Function)）としての複数のＰ−ＣＳＣＦ(Proxy-CSCF)１１及びＳ−ＣＳＣＦ(Serving-CSCF)１２と、加入者情報サーバ（ＨＳＳ(Home Subscriber Server)）１３とを有する。
【０００７】
Ｐ−ＣＳＣＦ１１は、端末２及びデバイス３から、アクセスネットワーク６を介して直接的にアクセスされる。そして、Ｐ−ＣＳＣＦ１１は、セッション毎にメディア情報を抽出し、セッション確立時にゲートウェイに対するゲート制御及びリソース制御を指示する。Ｐ−ＣＳＣＦ１１は、端末２及びデバイス３からの位置登録時に決定され、端末２及びデバイス３との間にセキュアなＩＰｓｅｃトンネルを確立する。端末２及びデバイス３から受信したＳＩＰメッセージは、Ｓ−ＣＳＣＦ１２へ転送される。
【０００８】
Ｓ−ＣＳＣＦ１２は、サービス実行及び呼セッション制御のための中心的なＳＩＰサーバである。Ｓ−ＣＳＣＦ１２は、自身が管理するドメインを有し、そのドメインの範囲内のSIP-URI(SIP - Uniform Resource Identifier)について制御する。また、Ｓ−ＣＳＣＦ１２は、加入者プロファイル情報を管理するＨＳＳ１３に接続され、ユーザ認証を実行する。
【先行技術文献】
【特許文献】
【０００９】
【特許文献１】特開２００８−１６０７９１号公報
【非特許文献】
【００１０】
【非特許文献１】３ＧＰＰ ＴＳ ２３．２２８、「IP Multimedia Subsystem(IMS)」
【発明の概要】
【発明が解決しようとする課題】
【００１１】
今後、ネットワーク技術の発展に伴って、ＩＭＳネットワークに接続される端末数も増加することが予想される。特に、小型モジュールのような大量の組み込み型デバイスが、ＩＭＳネットワークに接続されるサービスが提供されることも予想される。
【００１２】
しかしながら、様々な装置に組み込まれるデバイスは、低機能（低コスト）且つ省電力なものであるために、アクセスネットワークを介して直接的にＩＭＳネットワークに接続する機能自体を備えていない場合も多い。
【００１３】
また、デバイスは、様々な装置に組み込まれ且つ制御情報を含む様々な情報を送受信するために、その数も比較的大量となる。そのため、大量のデバイスからのトラヒックが、ＩＭＳネットワークへ流れ込むこととなる。一方で、ＩＭＳネットワークから見て、携帯電話機のような端末も、小型モジュールのようなデバイスも、ＳＩＰシーケンスに伴う負荷は、ほぼ同等である。従って、ＩＭＳネットワークに接続する端末数の増加に応じて、Ｓ−ＣＳＣＦ及びＨＳＳの設備の増強も必要となる。
【００１４】
そこで、本発明は、大量のＳＩＰクライアント対応のデバイスがＩＭＳネットワークに接続される場合であっても、ＩＭＳネットワークのコア設備装置の処理負荷を低減することができる位置登録方法及びシステムを提供することを目的とする。
【課題を解決するための手段】
【００１５】
本発明によれば、ＩＰサブシステムネットワークに接続されたセッション制御サーバと、そのＩＰサブシステムネットワークにアクセスネットワークを介して接続されたＳＩＰクライアント対応の端末とを有するシステムについて、ＳＩＰクライアント対応のデバイスが、端末を介してそのＩＰサブシステムネットワークに接続する位置登録方法であって、
端末が、セッション制御サーバへ位置登録要求を送信する第１のステップと、
セッション制御サーバが、端末から位置登録要求を受信した際に、端末用にサブドメインを割り当て、そのサブドメインを含む位置登録応答を端末へ返信する第２のステップと、
デバイスが、端末へ位置登録要求を送信する第３のステップと、
端末が、デバイスから位置登録要求を受信した際に、サブドメインの範囲内のＳＩＰアドレスをデバイスに割り当て、そのＳＩＰアドレスを含む位置登録応答をデバイスへ返信する第４のステップと
を有することを特徴とする。
【００１６】
本発明の位置登録方法における他の実施形態によれば、第４のステップについて、端末は、デバイスに対して、サブドメインの範囲内で呼セッション制御機能（ＣＳＣＦ(Call Session Control Function)）として動作することも好ましい。
【００１７】
本発明の位置登録方法における他の実施形態によれば、
システムは、デバイスのデバイス識別子と、端末のユーザ識別子とを対応付けて記憶するデバイス管理アプリケーションサーバを更に有し、
第４のステップについて、
端末が、デバイスから位置登録要求を受信した際に、サブドメインの範囲内のＳＩＰアドレスをデバイスに割り当てる第１のサブステップと、
端末が、デバイス識別子及びユーザ識別子を、デバイス管理アプリケーションサーバへ送信する第２のサブステップと、
デバイス管理アプリケーションサーバが、デバイス識別子及びユーザ識別子が対応付けられているか否かを認証し、その認証結果を端末へ返信する第３のサブステップと、
端末が、認証結果が成功である場合、ＳＩＰアドレスを含む位置登録応答をデバイスへ返信する第４のサブステップと
を更に有することも好ましい。
【００１８】
本発明の位置登録方法における他の実施形態によれば、第１のサブステップについて、端末は、サブドメインの範囲内で、加入者情報サーバ（ＨＳＳ(Home Subscriber Server)）として動作することも好ましい。
【００１９】
本発明の位置登録方法における他の実施形態によれば、第３のサブステップについて、デバイス管理サーバは、デバイスの認証が成功した際に、当該デバイス又はユーザ毎に課金することも好ましい。
【００２０】
本発明によれば、ＩＰサブシステムネットワークに接続されたセッション制御サーバと、そのＩＰサブシステムネットワークにアクセスネットワークを介して接続されたＳＩＰクライアント対応の端末と、その端末を介してＩＰサブシステムネットワークに接続するＳＩＰクライアント対応のデバイスとを有するシステムであって、
セッション制御サーバは、
端末から位置登録要求を受信した際に、端末用にサブドメインを割り当てるサブドメイン割当手段と、
サブドメインを含む位置登録応答を端末へ返信する端末側位置登録手段と
を有し、
端末は、
デバイスから位置登録要求を受信するＳＩＰサーバ手段と、
サブドメインの範囲内のアドレスをデバイスに割り当てるデバイスセッション制御手段と、
サブドメインを要求するべく記述された端末用の位置登録要求を、セッション制御サーバへ送信するネットワーク側位置登録手段と
を有することを特徴とする。
【００２１】
本発明のシステムにおける他の実施形態によれば、端末のデバイスセッション制御手段は、デバイスに対して、サブドメインの範囲内で、呼セッション制御機能（ＣＳＣＦ）として動作することも好ましい。
【００２２】
本発明のシステムにおける他の実施形態によれば、
システムは、デバイス管理アプリケーションサーバを更に有し、
デバイス管理アプリケーションサーバは、
デバイスのデバイス識別子と、端末のユーザ識別子とを対応付けて記憶するデバイス認証記憶手段と、
端末から受信したデバイス識別子及びユーザ識別子が対応付けられているか否かを認証し、その認証結果を端末へ返信する認証手段と
を有し、
端末は、デバイス識別子及びユーザ識別子を、デバイス管理アプリケーションサーバへ送信すると共に、デバイス管理アプリケーションサーバから認証結果を受信するデバイス認証手段を更に有し、
端末のＳＩＰサーバ手段は、認証結果が成功である場合、アドレスを含む位置登録応答をデバイスへ返信することも好ましい。
【００２３】
本発明のシステムにおける他の実施形態によれば、端末のデバイス認証手段は、サブドメインの範囲内で、加入者情報サーバ（ＨＳＳ）として動作することも好ましい。
【００２４】
本発明のシステムにおける他の実施形態によれば、デバイス管理サーバは、デバイスの認証が成功した際に、当該デバイス又はユーザ毎に課金するデバイス課金手段を更に有することも好ましい。
【発明の効果】
【００２５】
本発明の位置登録方法及びシステムによれば、ＳＩＰクライアント対応の端末が、ＳＩＰクライアント対応のデバイスに対する呼セッション制御機能を実行するために、大量のデバイスがＩＭＳネットワークに接続される場合であっても、ＩＭＳネットワークのコア設備装置の処理負荷を低減することができる。
【図面の簡単な説明】
【００２６】
【図１】ＩＭＳのシステム構成図である。
【図２】本発明におけるＩＭＳのシステム構成図である。
【図３】本発明における位置登録要求のシーケンス図である。
【図４】本発明における端末、Ｓ−ＣＳＣＦ及びデバイス管理アプリケーションサーバの機能構成図である。
【図５】位置登録後におけるＳＩＰメッセージのシーケンス図である。
【発明を実施するための形態】
【００２７】
以下、本発明の実施の形態について、図面を用いて詳細に説明する。
【００２８】
図２は、本発明におけるＩＭＳのシステム構成図である。
【００２９】
図２のシステムは、図１と比較して、ＳＩＰクライアント対応のデバイス３が、ＳＩＰクライアント対応の端末２に接続されている。即ち、デバイス３は、アクセスネットワーク６に直接的に接続しない。デバイス３は、端末２との間で、赤外線、ブルートゥース、無線ＬＡＮ、ケーブル等を介して接続される。
【００３０】
本発明によれば、ＳＩＰクライアント対応の端末２は、デバイス３に対して呼セッション制御機能（ＣＳＣＦ）として動作する。端末２に搭載されたＣＳＣＦの機能は、Ｍ−ＣＳＣＦ(Mobile-CSCF)と称す。具体的には、端末２のＭ−ＣＳＣＦは、ＩＭＳネットワークのＳ−ＣＳＣＦ１２からSIP-URIのサブドメインの割り当てを受ける。そして、端末２のＭ−ＣＳＣＦは、そのサブドメインの範囲内で、デバイス３に対してSIP-URIを割り当てる。従来技術によれば、デバイスの位置登録の処理は、Ｓ−ＣＳＣＦ１２によって実行されるのに対し、本発明によれば、端末２のＭ−ＣＳＣＦによって実行される。これによって、ＩＭＳネットワークのＳ−ＣＳＣＦの処理負荷を低減することができる。
【００３１】
また、図２のシステムによれば、ＩＭＳネットワーク１に、デバイス管理アプリケーションサーバ４が更に備えられている。デバイス管理アプリケーションサーバ４は、デバイスのデバイス識別子と端末のユーザ識別子とを対応付けたデバイス認証情報を管理する。即ち、ＨＳＳ１３は、端末２の加入者情報を管理するのに対し、デバイス管理アプリケーションサーバ４は、デバイス３の加入者情報を管理する。端末２に搭載されたＨＳＳの機能は、Ｍ−ＨＳＳ(Mobile-HSS)と称す。端末２のＭ−ＨＳＳは、デバイス管理アプリケーションサーバ４に問い合わせることによって、デバイスを認証する。従来技術によれば、デバイスの認証の処理は、ＨＳＳ１３によって実行されるのに対し、本発明によれば、端末２のＭ−ＨＳＳ及びデバイス管理アプリケーションサーバによって実行される。これによって、デバイスの管理を分離し、ＩＭＳネットワークのＨＳＳ１３の処理負荷を低減することができる。
【００３２】
図３は、本発明における位置登録要求のシーケンス図である。
【００３３】
最初に、デバイス３の接続を認識した端末２が、ＩＭＳネットワークへ位置登録要求を送信するシーケンスについて説明する。
【００３４】
（Ｓ３００）端末２は、デバイス３との間の接続を認識する。
【００３５】
（Ｓ３０１）端末２は、位置登録要求REGISTERをＩＭＳネットワークへ送信する。この位置登録要求REGISTERは、Ｐ−ＣＳＣＦ１１によって受信される。位置登録要求REGISTERには、Supportedヘッダ及びRequireヘッダが記述される。
「Supported」：ＳＩＰのオプション機能の中で、端末が対応可能な機能を表す。
「Require」  ： Supportedヘッダに記述された機能を用いることを要求する。
ここで、拡張機能「Ｍ−ＣＳＣＦ」の場合、例えば"mcscf"が記述される。
【００３６】
（Ｓ３０２）Ｐ−ＣＳＣＦ１１は、その位置登録要求REGISTERを、Ｓ−ＣＳＣＦ１２へ送信する。
【００３７】
（Ｓ３０３）Ｓ−ＣＳＣＦ１２は、受信した位置登録要求REGISTERについて、Supportedヘッダ及びRequireヘッダを識別する。ここで、Supportedヘッダ及びRequireヘッダに、例えば"mcscf"が記述されている場合、その端末２に割り当てるべきサブドメインを動的に生成する。Ｓ−ＣＳＣＦ１２が管理するドメインが[kddi.net]である場合、サブドメインは、例えば[tmp1.kddi.net]のように表される。
【００３８】
（Ｓ３０４）Ｓ−ＣＳＣＦ１２は、次に、ＳＩＰルートを更新する。ＳＩＰルートとは、ＳＩＰメッセージのSIP-URIと呼セッション制御サーバのアドレスとを対応付けたものであって、ＳＩＰメッセージが経由すべきプロキシサーバのアドレスを表す。ここで、サブドメイン[tmp1.kddi.net]に含まれるSIP-URIのＳＩＰメッセージは、Ｐ−ＣＳＣＦ１１を経由して、Ｍ−ＣＳＣＦ機能を有する端末２へ転送されるように、ＳＩＰルートが更新される。
【００３９】
（Ｓ３０５）Ｓ−ＣＳＣＦ１２は、位置登録応答200OKを、Ｐ−ＣＳＣＦ１１へ返信する。この位置登録応答200OKには、割り当てられたサブドメインが含まれる。サブドメインは、200OKにおけるP-Associated-URIに含まれるものであってもよいし、新たに追加記述されたP-Associated-Domainに含まれるものであってもよい。
【００４０】
（Ｓ３０６）Ｐ−ＣＳＣＦ１１は、その位置登録応答200OKを、端末２へ転送する。尚、Ｐ−ＣＳＣＦ１１が、ＳＩＰメッセージの正当性確認処理を実行する場合、200OKに含まれるサブドメインを記憶することも好ましい。Ｐ−ＣＳＣＦ１１は、そのサブドメインの範囲内のSIP-URIのＳＩＰメッセージは、正当であると確認することができる。
【００４１】
（Ｓ３０７）端末２は、位置登録応答200OKを受信し、サブドメイン[tmp1.kddi.net]を取得する。尚、Ｓ３０１〜Ｓ３０６のシーケンスは、Ｓ３００におけるデバイス３との接続前に実行されてもよい。
【００４２】
次に、端末２に接続するデバイス３が、ＩＭＳネットワークへ位置登録要求を送信するシーケンスについて説明する。
【００４３】
（Ｓ３１１）デバイス３は、位置登録要求REGISTERを、端末２へ送信する。
【００４４】
（Ｓ３１２）端末２は、位置登録要求REGISTERの送信元のデバイス３に対して割り当てるべきアドレスSIP-URIを、サブドメイン（例えば[tmp1.kddi.net]）の範囲内で割り当てる。デバイス３に、例えば[device1@tmp1.kddi.net]を割り当てる。[device1]の部分は、デバイス３から送信された位置登録要求REGISTERに含まれるURIであってもよいし、端末２が自動的に割り当てるものであってもよい。
【００４５】
（Ｓ３１３）端末２は、位置登録応答200OKを、デバイス３へ返信する。この位置登録応答200OKには、割り当てられたSIP-URI[device1@tmp1.kddi.net]が含まれる。
【００４６】
（Ｓ３１４）デバイス３は、位置登録応答200OKを受信し、SIP-URI[device1@tmp1.kddi.net]を取得する。
【００４７】
ここで、Ｓ３１２とＳ３１３との間で、端末２が、デバイス３を認証するシーケンスについて説明する。
【００４８】
（Ｓ３２１）端末２は、位置登録要求REGISTERを、デバイス管理アプリケーションサーバ４を宛先として、ＩＭＳネットワークへ送信する。この位置登録要求REGISTERは、例えば以下のように記述される。
Request URI：         宛先となるデバイス管理アプリケーションサーバの
SIP-URI
To：                  デバイスのSIP-URI [device1@tmp1.kddi.net]
From：                端末のSIP-URI [terminal@kddi.net]
P-Preferred-Identity：デバイスの独自の識別子
【００４９】
（Ｓ３２２）位置登録要求REGISTERを受信したＰ−ＣＳＣＦ１１は、その位置登録要求REGISTERを、Ｓ−ＣＳＣＦ１２へ転送する。
【００５０】
（Ｓ３２３）位置登録要求REGISTERを受信したＳ−ＣＳＣＦ１２は、その位置登録要求REGISTERを、デバイス管理アプリケーションサーバ４へ転送する。
【００５１】
（Ｓ３２４）デバイス管理アプリケーションサーバ４は、位置登録要求REGISTERに記述されたデバイスのデバイス識別子と端末のSIP-URIとが対応付けて記憶されているか否かを認証する。
【００５２】
（Ｓ３２５）デバイス管理アプリケーションサーバ４は、認証が成功した場合、位置登録応答200OKを、Ｓ−ＣＳＣＦ１２へ返信する。尚、このとき、デバイスの正当性を確認するため、チャレンジレスポンス認証などの認証シーケンスが実行されてもよい。また、認証が失敗した場合、エラーメッセージを返信する。
【００５３】
（Ｓ３２６）位置登録応答200OKを受信したＳ−ＣＳＣＦ１２は、その位置登録応答200OKを、Ｐ−ＣＳＣＦ１１へ転送する。
【００５４】
（Ｓ３２７）位置登録応答200OKを受信したＰ−ＣＳＣＦ１１は、その位置登録応答200OKを、端末２へ転送する。端末２は、位置登録応答200OKを受信することによって、そのデバイスが正当であると認識する。
【００５５】
尚、Ｓ３２１〜Ｓ３２７の認証シーケンスは、任意のタイミングで実行されてもよい。但し、その場合、デバイス３に対して、182 Queued Messageのような暫定レスポンスを返しておくことが好ましい。
【００５６】
図４は、本発明における端末、Ｓ−ＣＳＣＦ及びデバイス管理アプリケーションサーバの機能構成図である。
【００５７】
端末２は、デバイス側に対するＳＩＰサーバ部２１と、Ｍ−ＣＳＣＦとして機能するデバイスセッション制御部２２と、ネットワーク側に対するＳＩＰクライアント部２３と、Ｍ−ＨＳＳとして機能する加入デバイス情報部２４とを有する。これら機能構成部は、例えば携帯電話機のような端末に搭載されたコンピュータを機能させるプログラムを実行することによって実現される。尚、デバイス３は、既存のＳＩＰクライアント機能を有する。
【００５８】
ＳＩＰサーバ部２１は、ＳＩＰサーバとして、デバイス３との間でＳＩＰメッセージを交換する。ＳＩＰサーバ部２１は、デバイス３から受信した位置登録要求REGISTERを、デバイスセッション制御部２２へ出力する。また、ＳＩＰサーバ部２１は、割り当てられたアドレスSIP-URIを含む位置登録応答200OKを、デバイス３へ送信する。
【００５９】
デバイスセッション制御部２２は、予め割り当てられたサブドメインの範囲内で、Ｍ−ＣＳＣＦ（Ｓ−ＣＳＣＦ及びＰ−ＣＳＣＦ）として機能する。デバイスセッション制御部２２は、サブドメインの範囲内のアドレスSIP-URIを、デバイス３に割り当てる。また、デバイスセッション制御部２２は、加入デバイス情報部２４を用いて、デバイス３を認証する。デバイス３が正当と認証された場合、デバイスセッション制御部２２は、デバイス３にアドレスSIP-URIを割り当てる。
【００６０】
ＳＩＰクライアント部２３は、ＳＩＰクライアントとして、ＩＭＳネットワークとの間でＳＩＰメッセージを交換する。端末２とＰ−ＣＳＣＦ１１との間は、セキュアなＩＰｓｅｃで確立することも好ましい。ＳＩＰクライアント部２３は、サブドメインを要求するべく記述された端末用の位置登録要求を、Ｓ−ＣＳＣＦ１２へ送信する。
【００６１】
加入デバイス情報部２４は、サブドメインの範囲内で、Ｍ−ＨＳＳとして機能する。加入デバイス情報部２４は、ＩＭＳネットワークに接続されるデバイス管理アプリケーションサーバ４に、デバイスの正当性を問い合わせる。尚、デバイス管理アプリケーションサーバ４への認証は、デバイス３から位置登録要求REGISTERを受信した際に実行されてもよし、任意のタイミングで実行されてもよい。
【００６２】
端末２に搭載されるこれら機能は、アクセスネットワーク６に接続する基地局に搭載されてもよい。
【００６３】
尚、デバイス３は、低機能（低コスト）及び省電力のものであるので、ＳＩＰクライアント機能を搭載していない場合もある。この場合、端末２のＳＩＰサーバ部２１が、デバイス３からの独自プロトコルのメッセージを変換することもできる。
【００６４】
また、デバイス３は、動的にSIP-URIを割り当てられるが、一意のリダイレクトサーバを用いて、SIP-URIと対応付けてもよい。
【００６５】
Ｓ−ＣＳＣＦ１２は、ＳＩＰサーバ部１２１と、サブドメイン割当部１２２と、ＳＩＰルート更新部１２３と、ＳＩＰメッセージ転送部１２４とを有する。これら機能構成部は、Ｓ−ＣＳＣＦに搭載されたコンピュータを機能させるプログラムを実行することによって実現される。
【００６６】
ＳＩＰサーバ部１２１は、ＳＩＰサーバとして、端末２との間でＳＩＰメッセージを交換する。ＳＩＰサーバ部１２１は、端末２から受信した位置登録要求REGISTERを、サブドメイン割当部１２２へ出力する。また、ＳＩＰサーバ部１２１は、割り当てられたサブドメインを含む位置登録応答200OKを、端末２へ返信する。
【００６７】
サブドメイン割当部１２２は、当該Ｓ−ＣＳＣＦが担当するドメインを有する。サブドメイン割当部１２２は、端末２から位置登録要求REGISTERを受信した際に、その端末２にサブドメインを割り当てる。
【００６８】
ＳＩＰルート更新部１２３は、割り当てられたサブドメインに含まれるSIP-URIのＳＩＰメッセージは、その端末２へ接続するＰ−ＣＳＣＦ１１を経由して転送されるように、ＳＩＰルートを更新する。ＳＩＰルートとは、ＳＩＰメッセージのSIP-URIと呼セッション制御サーバのアドレスとを対応付けたものであって、ＳＩＰメッセージが経由すべきプロキシサーバのアドレスを表す。当該Ｓ−ＣＳＣＦ自身が管理しないドメインのＳＩＰメッセージは、担当するＣＳＣＦへ転送される。
【００６９】
デバイス管理アプリケーションサーバ４は、デバイス認証記憶部４０と、デバイス認証部４１と、デバイス課金部４２とを有する。これら機能構成部は、デバイス管理アプリケーションサーバに搭載されたコンピュータを機能させるプログラムを実行することによって実現される。
【００７０】
デバイス認証記憶部４０は、デバイスのデバイス識別子と、端末のユーザ識別子とを対応付けて記憶する。
【００７１】
デバイス認証部４１は、デバイス認証記憶部４０を用いて、端末２の加入デバイス情報部（Ｍ−ＨＳＳ）２４から受信したデバイス識別子及びユーザ識別子が、対応付けられているか否かを認証する。その認証結果は、端末２の加入デバイス情報部２４へ返信される。
【００７２】
デバイス課金部４２は、デバイスの認証処理の際に、当該デバイス又はユーザ毎に課金する。
【００７３】
図５は、位置登録後におけるＳＩＰメッセージのシーケンス図である。
【００７４】
図５（ａ）は、デバイス３が、ＳＩＰメッセージを送信した場合のシーケンス図である。端末２は、デバイス３から受信したＳＩＰメッセージが、既に位置登録済みである場合、そのＳＩＰメッセージを、Ｐ−ＣＳＣＦ１１へ転送する。次に、Ｐ−ＣＳＣＦ１１は、そのＳＩＰメッセージを、Ｓ−ＣＳＣＦ１２へ転送する。
【００７５】
次に、Ｓ−ＣＳＣＦ１２は、そのＳＩＰメッセージを、ＳＩＰルートに従って転送する。このとき、今後、当該Ｓ−ＳＣＳＦ１２が、デバイス３からのＳＩＰメッセージを処理する必要が無い場合、Record-Routeヘッダに、当該Ｓ−ＣＳＣＦ１２自身のアドレスを付加しない。Record-Routeヘッダは、ＳＩＰメッセージが自身を経由するように指定するものであって、Record-Routeヘッダを付加しないことにより、後続のＳＩＰメッセージは、Ｓ−ＣＳＣＦ１２を経由せずに送受信される。これによって、デバイス３から送信されるＳＩＰメッセージに対するＣＳＣＦ機能の全ては、端末２のＭ−ＣＳＣＦが担うこととなる。
【００７６】
図５（ｂ）は、ＳＩＰメッセージがデバイス３へ送信された場合のシーケンス図である。デバイス３宛のＳＩＰメッセージは、そのドメインに従ってＳ−ＣＳＣＦ１２へ転送される。Ｓ−ＣＳＣＦ１２は、そのＳＩＰメッセージの宛先アドレスが、サブドメインの範囲内にあることを確認する。そして、Ｓ−ＣＳＣＦ１２は、そのＳＩＰメッセージのRouteヘッダに、Ｐ−ＣＳＣＦ１１のアドレスと端末２のアドレスとを記述する。また、今後、当該Ｓ−ＳＣＳＦ１２が、デバイス３へのＳＩＰメッセージを処理する必要が無い場合、Record-Routeヘッダに、当該Ｓ−ＣＳＣＦ１２自身のアドレスを付加しない。このＳＩＰメッセージは、Routeヘッダに従って、Ｐ−ＣＳＣＦ１１を経由して、端末２へ転送される。端末２のＭ−ＣＳＣＦは、アドレスSIP-URIがデバイス３を指定しているそのＳＩＰメッセージを、デバイス３へ転送する。尚、Record-Routeヘッダを付加しないことにより、後続のＳＩＰメッセージは、Ｓ−ＣＳＣＦ１２を経由せずに送受信される。これによって、デバイス３へ転送されるＳＩＰメッセージに対するＣＳＣＦ機能の全ては、端末２のＭ−ＣＳＣＦが担うこととなる。
【００７７】
本発明の位置登録方法及びシステムによれば、ＩＭＳネットワークに接続した携帯電話機のような端末が、デバイスに対して、呼セッション制御機能（ＣＳＣＦ機能）及びゲートウェイ機能を提供する。これによって、コア設備装置への負担軽減やトラヒック量の軽減を実現し、低機能（低コスト）且つ省電力なデバイスを大量にＩＭＳネットワークへ接続させることができる。
【００７８】
本発明によれば、低機能且つ省電力の小型デバイスが、アクセスネットワークに直接的に接続することなく、ＩＭＳネットワークに接続することができる。また、端末がデバイスに対するＣＳＣＦ機能を担うために、デバイスからのＩＭＳネットワークに対するシグナリングの数（例えばＰ−ＣＳＣＦに対するＩＰｓｅｃの数）も低減させることができる。また、デバイスの認証管理は、ＩＭＳネットワークのコア設備装置以外のデバイス管理アプリケーションサーバが担う。これらによって、ＩＭＳネットワークのコア設備装置に対する処理負荷を低減させることとなる。
【００７９】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８０】
１  ＩＭＳネットワーク、ＩＰサブシステムネットワーク
１１  Ｐ−ＣＳＣＦ
１２  Ｓ−ＣＳＣＦ
１２１  ＳＩＰサーバ部
１２２  サブドメイン割当部
１２３  ＳＩＰルート更新部
１２４  ＳＩＰメッセージ転送部
２  端末、ＳＩＰクライアント対応端末
２１  ＳＩＰサーバ部
２２  デバイスセッション制御部、Ｍ−ＣＳＣＦ
２３  ＳＩＰクライアント部
２４  加入デバイス情報部、Ｍ−ＨＳＳ
３  デバイス、ＳＩＰクライアント対応デバイス
４  デバイス管理アプリケーションサーバ
４０  デバイス認証記憶部
４１  デバイス認証部
４２  デバイス課金部
５  サーバ
６  アクセスネットワーク
７  ＩＰネットワーク
【図１】
2010171635.tif 000003
【図２】
2010171635.tif 000004
【図３】
2010171635.tif 000005
【図４】
2010171635.tif 000006
【図５】
2010171635.tif 000007